【手続補正書】
【提出日】平成30年12月26日(2018.12.26)
【手続補正１】
【補正対象書類名】明細書
【補正対象項目名】００５３
【補正方法】変更
【補正の内容】
【００５３】
プラント出力制御装置１６は、再循環流量及び制御棒位置を設定値に調整する（ステップＳ１２４）。具体的には、出力制御装置２２から再循環流量制御装置１７と制御棒制御装置１８へ、再循環流量信号、制御棒位置信号を送出し、再循環流量制御装置１７が再循環ポンプ３を制御し、制御棒制御装置１８が制御棒の４の位置を制御する。
【手続補正２】
【補正対象書類名】特許請求の範囲
【補正対象項目名】全文
【補正方法】変更
【補正の内容】
【特許請求の範囲】
【請求項１】
原子炉と、前記原子炉内の冷却材を循環させる再循環ポンプと、制御棒と、前記原子炉で発生した蒸気の流量を調整する加減弁と、前記加減弁を通過した蒸気により駆動されるタービンと、前記タービンにより駆動されて電力を発生する発電機と、前記加減弁と前記タービンとの間に設置されて前記蒸気の一部を他の設備へ供給可能とする抽気弁と、
前記発電機の出力目標値を生成する目標値生成装置と、前記発電機の実出力を計測するセンサと、
前記発電機の出力目標値と前記発電機の実出力との差である第１の発電機出力偏差信号に基づき前記蒸気の抽気量を設定する抽気制御装置と、
前記抽気制御装置の設定値に一致するよう前記抽気弁を駆動する抽気弁制御装置と、
前記発電機の実出力から前記抽気制御装置の抽気量の制御による前記発電機の出力への寄与分を減算した補正発電機出力と、前記発電機の出力目標値と前記補正発電機出力との差である第２の発電機出力偏差信号を出力する出力制御装置と、
前記出力制御装置からの第２の発電機出力偏差信号に応じて、前記再循環ポンプの再循環流量を調整する再循環流量制御装置と、
前記出力制御装置からの第２の発電機出力偏差信号に応じて、前記制御棒の位置を変更する制御棒制御装置とを備えた
ことを特徴とする原子力プラントの出力制御装置。
【請求項２】
請求項１に記載の原子力プラントの出力制御装置において、
前記抽気制御装置は、前記第１の発電機出力偏差信号として、前記第２の発電機出力偏差信号で算出された値と同一の値を使用して前記蒸気の抽気量を設定する
ことを特徴とする原子力プラントの出力制御装置。
【請求項３】
請求項１又は２に記載の原子力プラントの出力制御装置において、
前記抽気制御装置で設定した前記蒸気の抽気量は、予め定めた第１閾値より前記第１の発電機出力偏差信号が大きいときに、定格抽気量を減少させるように設定され、
前記出力制御装置で設定した前記制御棒の位置を変更する信号の値は、予め定めた第２閾値より前記第２の発電機出力偏差信号が大きいときに、前記制御棒の位置を変更するように設定され、
前記第１閾値を前記第２閾値よりも大きく設定した
ことを特徴とする原子力プラントの出力制御装置。
【請求項４】
請求項１乃至３のいずれか１項に記載の原子力プラントの出力制御装置において、
前記抽気制御装置は、前記発電機の出力目標値の変化率を演算する変化率演算器を備え、
前記発電機の出力目標値の変化率が予め定めた設定値未満の場合には、設定する抽気量を定格抽気量と同一とし、
前記発電機の出力目標値の変化率が予め定めた設定値以上のときのみ前記第１の発電機出力偏差信号に基づき抽気量を設定する
ことを特徴とする原子力プラントの出力制御装置。
【請求項５】
請求項１乃至４のいずれか１項に記載の原子力プラントの出力制御装置において、
前記抽気弁を複数個備え、
前記抽気制御装置は、前記第１の発電機出力偏差信号に基づき前記蒸気の抽気量を複数の前記抽気弁のそれぞれに設定し、
設定された抽気量において、定格抽気量から変化を開始する前記第１の発電機出力偏差信号の値を抽気弁毎に異なるように設定した
ことを特徴とする原子力プラントの出力制御装置。
【請求項６】
請求項１乃至５のいずれか１項に記載の原子力プラントの出力制御装置において、
前記原子炉へ冷却材を給水する給水ポンプと、前記給水ポンプの給水流量を制御する給水制御装置と、前記原子炉への給水を抽気により加熱する給水加熱器とを備え、
前記出力制御装置は、前記抽気制御装置が設定した前記蒸気の抽気量に基づいて前記給水制御装置に水位設定値を送信し、前記給水制御装置は前記水位設定値に基づいて前記給水ポンプの給水流量を調整する
ことを特徴とする原子力プラントの出力制御装置。
【請求項７】
原子炉と、前記原子炉で発生した蒸気の流量を調整する加減弁と、前記加減弁を通過した蒸気により駆動されるタービンと、前記タービンにより駆動されて電力を発生する発電機と、前記加減弁と前記タービンとの間に設置されて前記蒸気の一部を他の設備へ供給可能とする抽気弁と、冷却材を循環させる再循環ポンプと、制御棒と、出力制御装置とを備えた原子力プラントの出力制御方法であって、
前記出力制御装置は、前記発電機の出力目標値と、前記発電機の実出力とから、第１の発電機出力偏差信号を算出し、前記第１の発電機出力偏差信号に基づき、蒸気の一部を前記他の設備へ供給する前記抽気弁の抽気量を調整する第１のプロセスと、
前記発電機の実出力から前記抽気弁の抽気量の制御による前記発電機の出力への寄与分を減算した補正発電機出力を算出し、前記発電機の出力目標値と前記補正発電機出力から第２の発電機出力偏差信号を算出し、前記第２の発電機出力偏差信号に基づき前記再循環ポンプの再循環流量及び前記制御棒の位置を調整する第２のプロセスとを備え、
前記第１のプロセスと前記第２のプロセスとを並行して実施する
ことを特徴とする原子力プラントの出力制御方法。
【請求項８】
請求項７に記載の原子力プラントの出力制御方法において、
前記第１のプロセスは、前記第１の発電機出力偏差信号として、前記第２の発電機出力偏差信号で算出された値と同一の値を使用して前記蒸気の抽気量を調整する
ことを特徴とする原子力プラントの出力制御方法。
【請求項９】
請求項７又は８に記載の原子力プラントの出力制御方法において、
前記第１のプロセスにおいて、前記蒸気の抽気量は、予め定めた第１閾値より前記第１の発電機出力偏差信号が大きいときに、定格抽気量を減少させるように設定され、
前記第２のプロセスにおいて、前記制御棒の位置を変更する信号の値は、予め定めた第２閾値より前記第２の発電機出力偏差信号が大きいときに、前記制御棒の位置を変更するように設定され、
前記第１閾値を前記第２閾値よりも大きく設定した
ことを特徴とする原子力プラントの出力制御方法。
【請求項１０】
請求項７乃至９のいずれか１項に記載の原子力プラントの出力制御方法において、
前記出力制御装置は、前記発電機の出力目標値の変化率を演算する変化率演算器を備え、
前記第１のプロセスにおいて、前記発電機の出力目標値の変化率が予め定めた設定値未満の場合には、設定する抽気量を定格抽気量と同一とし、
前記発電機の出力目標値の変化率が予め定めた設定値以上のときのみ前記第１の発電機出力偏差信号に基づき抽気量を調整する
ことを特徴とする原子力プラントの出力制御方法。
【請求項１１】
請求項７乃至１０のいずれか１項に記載の原子力プラントの出力制御方法において、
前記抽気弁は複数個を備え、
前記第１のプロセスは、前記発電機の出力目標値と、前記発電機の実出力とから、第１の発電機出力偏差信号を算出し、前記第１の発電機出力偏差信号に基づき、蒸気の一部を他の設備へ供給する複数の前記抽気弁の抽気量を調整し、
設定された抽気量において、定格抽気量から変化を開始する前記第１の発電機出力偏差信号の値を抽気弁毎に異なるように設定した
ことを特徴とする原子力プラントの出力制御方法。
【請求項１２】
原子炉と、前記原子炉で発生した蒸気の流量を調整する加減弁と、前記加減弁を通過した蒸気により駆動されるタービンと、前記タービンにより駆動されて電力を発生する発電機と、前記加減弁と前記タービンとの間に設置されて前記蒸気の一部を他の設備へ供給可能とする抽気弁と、冷却材を循環させる再循環ポンプと、制御棒と、前記原子炉へ冷却材を給水する給水ポンプと、前記給水ポンプの給水流量を制御する給水制御装置と、前記原子炉への給水を抽気により加熱する給水加熱器と、出力制御装置とを備えた原子力プラントの出力制御方法であって、
前記出力制御装置は、前記発電機の出力目標値と、前記発電機の実出力とから、第１の発電機出力偏差信号を算出し、前記第１の発電機出力偏差信号に基づき、蒸気の一部を前記他の設備へ供給する前記抽気弁の抽気量を調整する第１のプロセスと、
前記発電機の実出力から前記抽気弁の抽気量の制御による前記発電機の出力への寄与分を減算した補正発電機出力を算出し、前記発電機の出力目標値と前記補正発電機出力から第２の発電機出力偏差信号を算出し、前記第２の発電機出力偏差信号に基づき前記再循環ポンプの再循環流量及び前記制御棒の位置を調整する第２のプロセスと、
前記給水加熱器への抽気量に基づき、前記原子炉への給水流量を調整する第３のプロセスとを備え、
前記第１のプロセスと前記第２のプロセスと前記第３のプロセスとを並行して実施する
ことを特徴とする原子力プラントの出力制御方法。